【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】
【請求項１】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端壁と、該基端及び末端壁の間を伸びる管腔を画成する内壁とを有するスリーブであって、該管腔が前記細長い部材を受け入れ得るように、基端にて開口し、弾性的であり且つ前記細長い部材の少なくとも末端部分の前記外形状に順応可能な前記スリーブとを備え、該スリーブが、前記内壁から前記管腔内に伸びる少なくとも１つのリブを更に備える、装置。
【請求項２】 請求項１の装置において、前記少なくとも１つのリブが前記スリーブの長さの少なくとも一部分に沿って伸びる、装置。
【請求項３】 請求項１の装置において、前記スリーブがほぼ膨張不能である、装置。
【請求項１７】 請求項１４の装置において、前記スリーブの前記末端が孔部分を有する末端壁を備える、装置。
【請求項４】 請求項１の装置において、前記スリーブを受け入れる開口部を画成するフランジ部材であって、組織の開口部を密封し得るように患者の組織に対して配置可能である前記フランジ部材を更に備える、装置。
【請求項５】 請求項４の装置において、前記スリーブが前記フランジ部材の開口部内に摺動可能に受け入れられる、装置。
【請求項６】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端と、該基端及び末端の間を伸びる管腔を画成する内壁とを有する延伸可能、弾性的スリーブであって、該管腔が前記細長い部材を受け入れ得るように前記基端にて開口した、前記延伸可能、弾性的スリーブと、
前記スリーブ部材を密封可能に且つ摺動可能に受け入れる開口部を有し、組織の開口部を密封し得るように患者に対して配置可能であるフランジ部材とを備える、装置。
【請求項７】 請求項６の装置において、前記スリーブが前記細長い部材の少なくとも末端部分の前記外形状に順応可能である、装置。
【請求項８】 請求項６の装置において、前記末端が、前記細長い部材の伸長を許容し得るように、前記端部壁を開放する手段を有する末端壁を含む、装置。
【請求項９】 請求項６の装置において、前記フランジ部材が前記スリーブの周りの波形部分と、該波形部分から外方に伸びるほぼ硬い支承部分とを備える、装置。
【請求項１０】 患者の組織の開口部を通じて腹腔鏡下外科手術を行う装置において、
末端及び基端の間を伸びる、ある長さを有する細長い部材であって、該長さに沿ってある外形状を有し且つ作用通路を画成する前記細長い部材と、
基端と、末端壁と、前記細長い部材を受け入れ得るように、前記基端にて開口する、該基端及び末端壁の間を伸びる管腔とを有するほぼ膨張不能なスリーブであって、弾性的であり且つ前記細長い部材の少なくとも末端部分の前記外形状に順応可能な前記ほぼ膨張不能なスリーブと、
前記作用通路内に配置されて、前記スリーブの前記末端壁に対して配置可能である少なくとも1つの先端を有する伸延器組立体とを備える、装置。
【請求項１１】 請求項１０の装置において、前記作用通路が、第一の部分と、隣接する第二の部分とを備え、前記第一及び第二の部分の各々が外科用器具を受け入れる形態とされる、装置。
【請求項１２】 請求項１１の装置において、前記伸延器組立体が、前記末端壁に対して配置可能な一対の伸延器先端を有する、装置。
【請求項１３】 請求項１２の装置において、前記細長い部材が該細長い部材の前記末端から伸びる一対の指状体を備え、前記一対の指状体の間に該一対の伸延器先端が配置される、装置。
【請求項１４】 請求項１０の装置において、前記細長い部材の前記基端に固着されて前記作用通路をほぼ密封するキャップ部材を更に備える、装置。
【請求項１５】 請求項１４の装置において、前記細長い部材の前記基端に設けられたフランジリングを更に備え、前記キャップ部材が該フランジリングに固着される、装置。
【請求項１６】 請求項１０の装置において、
前記細長い部材がレーストラック形状の外周を有し、
前記スリーブが前記管腔を画成する内壁を有し、該内壁が、前記細長い部材の前記レーストラック形状の外周に順応可能なレーストラック形状を有する前記管腔を画成する、装置。
【請求項１７】 請求項１０の装置において、前記スリーブが、前記内壁から前記管腔内に伸びる少なくとも１つのリブを更に備える、装置。
【請求項１８】 請求項１７の装置において、前記少なくとも１つのリブが前記スリーブの長さの少なくとも一部分に沿って伸びる、装置。
【請求項１９】 請求項１０の装置において、前記スリーブの前記末端壁が孔部分を有する、装置。
【請求項２０】 請求項１０の装置において、前記スリーブを受け入れる開口部を画成するフランジ部材であって、組織の開口部を密封し得るように患者の組織に対して配置可能である前記フランジ部材を更に備える、装置。
【請求項２１】 請求項２０の装置において、前記スリーブが前記フランジ部材の開口部内に摺動可能に受け入れられる、装置。
【請求項２２】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端と、前記基端及び前記末端の間を伸びる管腔を画成する内壁とを有するスリーブであって、該管腔が前記細長い部材を受け入れ得るように前記基端にて開口し、弾性的であり、前記細長い部材の少なくとも末端部分の前記外形状に順応可能である前記スリーブとを備え、該スリーブが、前記内壁から前記管腔内に伸びる少なくとも1つのリブを有し、前記スリーブの前記末端が孔部分を有する末端壁を備える、装置。
【請求項２３】 請求項２２の装置において、前記少なくとも１つのリブが前記スリーブの長さの少なくとも一部分に沿って伸びる、装置。
【請求項２４】 請求項２２の装置において、前記スリーブが延伸可能である、装置。
【請求項２５】 請求項２２の装置において、前記末端壁が薄い肉厚の構造体である、装置。
【請求項２６】 請求項２２の装置において、前記スリーブを受け入れる開口部を画成するフランジ部材であって、組織の開口部を密封し得るように患者の対して配置可能である前記フランジ部材を更に備える、装置。
【請求項２７】 請求項２６の装置において、前記スリーブが前記フランジ部材の開口部内に摺動可能に受け入れられる、装置。
【請求項２８】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端と、前記基端及び前記末端の間を伸びる管腔を画成する内壁とを有するスリーブであって、該管腔が前記細長い部材を受け入れ得るように前記基端にて開口し、前記細長い部材の少なくとも末端部分の前記外形状に順応可能である前記スリーブとを備え、前記末端壁が、前記細長い部材の伸長を許容し得るように、前記端部壁を開放させる手段を備え、前記スリーブが、前記細長い部材に対する前記スリーブの摺動動作を容易にし得るように前記内壁から前記管腔内に伸びる少なくとも1つのリブを備える、装置。
【請求項２９】 請求項２８の装置において、前記開放手段が孔部分を含む、装置。
【請求項３０】 請求項２８の装置において、前記開放手段が薄壁構造体を含む、装置。
【請求項３１】 請求項２８の装置において、前記スリーブが弾性的で且つほぼ膨張不能である、装置。
【請求項３２】 請求項２８の装置において、前記少なくとも1つのリブが前記内壁の周りにて隔てられた６つのリブを含む、装置。
【請求項３３】 請求項２８の装置において、前記少なくとも１つのリブが前記スリーブの長さの一部分に沿って伸びる、装置。
【請求項３４】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端と、該基端及び末端の間を伸びる管腔を画成する内壁とを有するスリーブであって、該管腔が前記細長い部材を受け入れ得るように前記基端にて開口した、前記スリーブと、
前記スリーブ部材を密封可能に且つ摺動可能に受け入れる開口部を有し、組織の開口部を密封し得るように患者の組織に対して配置可能であるフランジ部材とを備え、該フランジ部材が、前記スリーブの周りに配置された波形部分と、該波形部分から外方に伸びるほぼ硬い支承部分とを備える、装置。
【請求項３５】 請求項３４の装置において、前記スリーブが前記細長い部材の少なくとも末端部分の前記外形状に順応可能である、装置。
【請求項３６】 請求項３４の装置において、前記末端が、前記細長い部材の伸長を許容し得るように、前記端部壁を開放する手段を有する末端壁を含む、装置。
【請求項３７】 患者の組織の開口部を通じて腹腔鏡下外科手術を行う装置において、
末端及び基端の間を伸びる、ある長さを有する細長い部材であって、該長さに沿ってある外形状を有する前記細長い部材と、
基端と、末端と、前記基端及び前記末端の間を伸びる管腔を画成する内壁とを有するスリーブであって、該管腔が前記細長い部材を受け入れ得るように前記基端にて開口し、前記細長い部材の前記末端が前記スリー部の前記末端に接触したとき、前記細長い部材の少なくとも末端部分の外形状に順応し得るように延伸可能である前記スリーブとを備え、前記末端壁が、前記細長い部材の伸長を許容し得るように、前記端部壁を開放させる手段を備える、装置。
【請求項３８】 請求項３７の装置において、前記細長い部材が前記長さに沿って伸びる作用通路を画成する、装置。
【請求項３９】 請求項３８の装置において、前記作用通路が、第一の部分と、隣接する第二の部分とを備え、前記第一及び第二の部分の各々が外科用器具を受け入れる形態とされる、装置。
【請求項４０】 請求項３９の装置において、前記細長い部材の前記作用通路内に設けられた伸延器組立体であって、前記末端壁に対して配置可能な一対の伸延器先端を有する前記伸延器組立体を更に備える、装置。
【請求項４１】 請求項４０の装置において、前記細長い部材が該細長い部材の前記末端から伸びる一対の指状体を備え、前記一対の指状体の間に前記伸延器先端が配置される、装置。
【請求項４２】 請求項３９の装置において、前記細長い部材の前記基端に固着されて前記作用通路をほぼ密封するキャップ部材を更に備える、装置。
【請求項４３】 請求項４２の装置において、前記細長い部材の前記基端に設けられたフランジリングを更に備え、前記キャップ部材が該フランジリングに固着される、装置。
【請求項４４】 請求項３７の装置において、
前記細長い部材がレーストラック形状の外周を有し、
前記スリーブが前記管腔を画成する内壁を有し、該内壁が、前記細長い部材の前記レーストラック形状の外周に順応可能なレーストラック形状を有する前記管腔を画成する、装置。
【請求項４５】 請求項３７の装置において、前記スリーブが、前記内壁から前記管腔内に伸びる少なくとも１つのリブを更に備える、装置。
【請求項４６】 請求項４５の装置において、前記少なくとも１つのリブが、前記スリーブの長さの少なくとも一部分に沿って伸びる、６つのリブを含む、装置。
【請求項４７】 請求項３７の装置において、前記スリーブを受け入れる開口部を画成するフランジ部材であって、組織の開口部を密封し得るように患者の組織に対して配置可能である前記フランジ部材を更に備える、装置。
【請求項４８】 請求項４７の装置において、前記スリーブが前記フランジ部材の開口部内に摺動可能に受け入れられる、装置。
【請求項４９】 請求項３７の装置において、前記開放手段が孔部分を含む、装置。
【請求項５０】 請求項３７の装置において、前記開放手段が薄壁構造体を含む、装置。
【請求項５１】 請求項３７の装置において、前記スリーブが弾性的で且つほぼ膨張不能である、装置。